(57)【要約】      （修正有）【課題】簡素な構造で組み立てが容易で、確実な部品構成を実現することができて、かつ、スラットから抜け難く安定的に止着することができるスラット・シャッターのスラット止着部品を提供する。【解決手段】板体10の両端部にそれぞれ止着突起11・11を突設して、かつ、この止着突起11の周面の少なくとも一部に抜止め凸部11ａを形成した雄部品１と；板体20の両端部にそれぞれ通孔21・21を開設した雌部品２とから構成し、前記雄部品１の止着突起11が前記雌部品２の通孔21に回動自在に挿嵌して、かつ、この通孔21縁部に前記抜止め凸部11ａを掛止して、これら雄部品１と雌部品２とを交互に連結一体化する。【選択図】図７
0003128825.tif 000002
【実用新案登録請求の範囲】
【請求項１】
スラット３の側縁の上部と下部とにそれぞれ設けられた連結片31・32が互いに係合することにより、上下に順次連結して構成されるスラット・シャッターにおいて、これら連結したスラット３・３…の側縁面に当接しつゝ装着されることにより、スラット３・３…の掛脱を防止して、かつ、当該スラット３の側方に設けられたガイドレール４に案内せしめる止着部品であって、
この止着部品は、板体10の両端部にそれぞれ止着突起11・11が突設され、かつ、この止着突起11の周面の少なくとも一部に抜止め凸部11ａが形成された雄部品１と；
板体20の両端部にそれぞれ通孔21・21が開設された雌部品２とから構成されており、
前記雄部品１の止着突起11が前記雌部品２の通孔21に回動自在に挿嵌して、かつ、この通孔21縁部に前記抜止め凸部11ａが掛止され、これら雄部品１と雌部品２とが交互に連結一体化される一方、
前記雄部品１の止着突起11・11…の各先端部が、前記スラット３の連結片31・31…の側端に形成された各挿通孔31ａ・31ａ…に嵌入可能であるとともに、
前記雄部品１の膨出部12が、前記ガイドレール４に沿って摺動可能であることを特徴とするスラット・シャッターのスラット止着部品。
【請求項２】
雄部品１における止着突起11の軸方向にリブ11ｂが設けられており、スラット３の挿通孔31ａに緊嵌状態に嵌入可能であることを特徴とする請求項１記載のスラット・シャッターのスラット止着部品。
【請求項３】
雄部品１および／または雌部品２を左右対称に成形したことを特徴とする請求項１または２記載のスラット・シャッターのスラット止着部品。
【請求項４】
雄部品１および／または雌部品２が、ポリアセタール、ポリアミド、ポリテトラフルオロエチレン、ポリフェニレンサルファイド、またはエラストマー系樹脂の何れか材料から作製されることを特徴とする請求項１〜３の何れか一つに記載のスラット・シャッターのスラット止着部品。
【考案の詳細な説明】
【技術分野】
【０００１】
本考案は、シャッター用部品の改良、更に詳しくは、簡素な構造で組み立てが容易で、確実な部品構成を実現することができ、かつ、スラットから抜け難く安定的に止着することができるスラット・シャッターのスラット止着部品に関するものである。
【背景技術】
【０００２】
周知のとおり、医療現場などにおいては、各病室に配布するための薬や、医療器具などを運搬するために、手押しのカート（cart）が使用されている。ところで、最近では、医療現場においても、個人情報の漏洩を防止する観点から、カートの積載物から入院患者の氏名や病状などを察知されないように、開閉自在なシャッターを配設したものが使用されている。
【０００３】
従来、かかるシャッターは、横長のスラットを構成部材として、これら複数のスラットを上下に順次連結して作製されたものが用いられており、このスラット・シャッターにあっては、これらの連結したスラット同士の掛脱防止のため、ストッパーとして側方に止着部品を配設したものが開示されている（例えば、特許文献１参照）。
【０００４】
しかしながら、かかる従来のスラットの止着部品は、独立した個別の部品を側方に差し込んで構成していたことにより、止着部品が抜け落ち易いという問題があった。また、その外れた部品を紛失してしまうおそれもあった。
【特許文献１】実開昭６０−８３１９４号公報（第１−２頁、第４−５図）
【考案の開示】
【考案が解決しようとする課題】
【０００５】
本考案は、従来のスラット・シャッターに上記のような問題があったことに鑑みて為されたものであり、その目的とするところは、簡素な構造で組み立てが容易で、確実な部品構成を実現することができ、かつ、スラットから抜け難く安定的に止着することができるスラット・シャッターのスラット止着部品を提供することにある。
【課題を解決するための手段】
【０００６】
本考案者が上記課題を解決するために採用した手段を添付図面を参照して説明すれば次のとおりである。
【０００７】
即ち、本考案は、スラット３の側縁の上部と下部とにそれぞれ設けられた連結片31・32が互いに係合することにより、上下に順次連結して構成されるスラット・シャッターにおいて、これら連結したスラット３・３…の側縁面に当接しつゝ装着されることにより、スラット３・３…の掛脱を防止して、かつ、当該スラット３の側方に設けられたガイドレール４に案内せしめる止着部品であって、
この止着部品は、板体10の両端部にそれぞれ止着突起11・11を突設して、かつ、この止着突起11の周面の少なくとも一部に抜止め凸部11ａを形成した雄部品１と；板体20の両端部にそれぞれ通孔21・21を開設した雌部品２とから構成し、
前記雄部品１の止着突起11が前記雌部品２の通孔21に回動自在に挿嵌して、かつ、この通孔21縁部に前記抜止め凸部11ａを掛止して、これら雄部品１と雌部品２とを交互に連結一体化する一方、
前記雄部品１の止着突起11・11…の各先端部を、前記スラット３の連結片31・31…の側端に形成された各挿通孔31ａ・31ａ…に嵌入可能にするとともに、
前記雄部品１の膨出部12を、前記ガイドレール４に沿って摺動可能にするという技術的手段を採用することによって、スラット・シャッターのスラット止着部品を完成させた。
【０００８】
また、本考案は、上記課題を解決するために、必要に応じて上記手段に加え、雄部品１における止着突起11の軸方向にリブ11ｂを設け、スラット３の挿通孔31ａに緊嵌状態に嵌入可能にするという技術的手段を採用した。
【０００９】
更にまた、本考案は、上記課題を解決するために、必要に応じて上記手段に加え、雄部品１および／または雌部品２を左右対称に成形するという技術的手段を採用した。
【００１０】
更にまた、本考案は、上記課題を解決するために、必要に応じて上記手段に加え、雄部品１および／または雌部品２を、ポリアセタール、ポリアミド、ポリテトラフルオロエチレン、ポリフェニレンサルファイド、またはエラストマー系樹脂の何れか材料から作製するという技術的手段を採用した。
【考案の効果】
【００１１】
本考案は、スラットの側縁の上部と下部とにそれぞれ設けられた連結片が互いに係合することにより、上下に順次連結して構成されるスラット・シャッターにおいて、これら連結したスラットの側縁面に当接しつゝ装着されることにより、スラットの掛脱を防止し、かつ、当該スラットの側方に設けられたガイドレールに案内せしめる止着部品であって、
この止着部品は、板体の両端部にそれぞれ止着突起が突設され、かつ、この止着突起の周面の少なくとも一部に抜止め凸部が形成された雄部品と；板体の両端部にそれぞれ通孔が開設された雌部品とから構成されており、前記雄部品の止着突起が前記雌部品の通孔に回動自在に挿嵌して、かつ、この通孔縁部に前記抜止め凸部が掛止され、これら雄部品と雌部品とが交互に連結一体化される一方、前記雄部品の止着突起の各先端部が、前記スラットの連結片の側端に形成された各挿通孔に嵌入可能であるとともに、前記雄部品の膨出部が、前記ガイドレールに沿って摺動可能にした。
【００１２】
したがって、本考案の止着部品によれば、簡素な構造で組み立てが容易で、確実な部品構成を実現するこができ、かつ、スラットから抜け難く安定的に止着することができることから、実用的利用価値は頗る高いものがある。
【考案を実施するための最良の形態】
【００１３】
本考案を実施するための最良の形態を具体的に図示した図面に基づいて更に詳細に説明すると、次のとおりである。
【００１４】
本考案の実施形態を図１から図１０に基づいて説明する。図中、符号１で指示するものは雄部品であり、この雄部品１は、板体10の両端部にそれぞれ止着突起11・11が突設されており、かつ、この止着突起11の周面の少なくとも一部にテーパ状笠形の抜止め凸部11ａが形成されている（図１参照）。
【００１５】
また、符号２で指示するものは雌部品であり、この雌部品２は、板体20の両端部にそれぞれ円形の通孔21・21が開設されている（図２参照）。
【００１６】
本実施形態では、これら雄部品１および／または雌部品２を、耐摩耗性に優れ、滑り性が良好なポリアセタール（POM ）やポリアミド（PA）、ポリテトラフルオロエチレン（PTFE；フッ素樹脂）、ポリフェニレンサルファイド（PPS ）、あるいは柔軟性に優れるスチレン系熱可塑性エラストマー、ポリエステル系熱可塑性エラストマー、ポリオレフィン系熱可塑性エラストマー、更には、耐摩耗性および柔軟性に優れるポリアミド系熱可塑性エラストマーを採用することができる。
【００１７】
また、符号３で指示するものはスラットであり、このスラット３は、シャッターを構成する部材であって、プラスチック材料（例えば、塩化ビニル、ポリプロピレンなど）を押出成形して作製されており、側縁の上部と下部とには、連結片31・32がそれぞれ設けられており、互いに係合することによって、上下に順次連結することができる。本実施形態では、前記スラット３の連結片31・32を、鉤状のフック部材と、挿通孔31ａを有する円筒部材とから構成して、懸垂状態に連結してシャッター板を構成している。
【００１８】
更にまた、符号４で指示するものはガイドレールであり、このガイドレール４は、カートの内側両側面にそれぞれ配設される長手部材である。本実施形態では、コの字形断面を有するレール部材を採用する。
【００１９】
しかして、本考案は、前記のように構成されるスラット・シャッターにおいて、これら連結したスラット３・３…の側縁面に当接しつゝ装着されることにより、スラット３・３…の掛脱を防止して、かつ、当該スラット３の側方に設けられた前記ガイドレール４に案内せしめる止着部品に関するものである。
【００２０】
この止着部品の具体的構成について以下に説明する。まず、止着部品は、前記したように、板体10の両端部にそれぞれ止着突起11・11が突設され、かつ、この止着突起11の周面の少なくとも一部に抜止め凸部11ａが形成された雄部品１と；板体20の両端部にそれぞれ通孔21・21が開設された雌部品２とから構成されている。
【００２１】
次いで、前記雄部品１の止着突起11を前記雌部品２の通孔21に回動自在に挿嵌して、かつ、この通孔21縁部に抜止め凸部11ａを掛止し、これら雄部品１と雌部品２とを交互に連結一体化する（図３参照）。
【００２２】
そして、前記雄部品１の止着突起11・11…の各先端部は、図４および図５に示したように、前記スラット３の連結片31・31…の側端に形成された各挿通孔31ａ・31ａ…に嵌入可能である（図６および７参照）。
【００２３】
然る後、前記雄部品１の膨出部12を、前記ガイドレール４に沿って摺動させることができる。なお、前記ガイドレール４・４には、少なくともカーブ箇所を有しており、前記膨出部12が沿って移動するとき、このカーブ箇所において、連結箇所が回動自在に枢支されていることにより、スムースに移動させることができる（図８参照）。こうすることにより、前記構成したスラット・シャッターを介装せしめて上下に開閉することができるのである（図９参照）。
【００２４】
また、雄部品１および／または雌部品２を左右対称に成形することができ、スラット３の左右両方ともに使用できるので、取り違えを防止することができる。
【００２５】
本考案は、概ね上記のように構成されるが、図示の実施形態に限定されるものでは決してなく、「実用新案登録請求の範囲」の記載内において種々の変更が可能であって、例えば、図１０に示すように、雄部品１における止着突起11の軸方向にリブ11ｂを設けることができ、スラット３の挿通孔31ａに緊嵌状態に嵌入して、止着部品をより確実に止着することができ、本考案の技術的範囲に属する。
【図面の簡単な説明】
【００２６】
【図１】本考案の実施形態の雄部品を表わす斜視図である。
【図２】本考案の実施形態の雌部品を表わす斜視図である。
【図３】本考案の実施形態の止着部品を表わす側面図である。
【図４】本考案の実施形態のスラットの連結状態を表わす側面図である。
【図５】本考案の実施形態のスラットの連結状態を表わす斜視図である。
【図６】本考案の実施形態の止着部品とスラットとを連結した状態を表わす側面図である。
【図７】本考案の実施形態の止着部品とスラットとを連結した状態を表わす斜視図である。
【図８】本考案の実施形態の使用状態を表わす説明側面図である。
【図９】本考案の実施形態のカートを表わす全体斜視図である。
【図１０】本考案の実施形態の雄部品の変形例を表わす斜視図である。
【符号の説明】
【００２７】
１    雄部品
10    板体
11    止着突起
11ａ  抜止め凸部
11ｂ  リブ
12    膨出部
２    雌部品
20    板体
21    通孔
３    スラット
31    連結片
31ａ  挿通孔
32    連結片
４    ガイドレール
【図１】
0003128825.tif 000003
【図２】
0003128825.tif 000004
【図３】
0003128825.tif 000005
【図４】
0003128825.tif 000006
【図５】
0003128825.tif 000007
【図６】
0003128825.tif 000008
【図７】
0003128825.tif 000009
【図８】
0003128825.tif 000010
【図９】
0003128825.tif 000011
【図１０】
0003128825.tif 000012